(57)【特許請求の範囲】
【請求項１】
洗濯物を収容する洗濯脱水槽と、
前記洗濯脱水槽の上方に設けられ、水道栓に繋がる注水口部と、を備え、
前記注水口部は、
水道栓からの水が流れる流水路と、
前記流水路の前端に設けられ、流れて来た水をせき止める壁部と、
前記流水路の底面に前記壁部に沿って配列され、前記流水路を流れて来た水を前記洗濯脱水槽内に流出させる複数の流出孔部と、を含み、
前記複数の流出孔部は、当該各流出孔部からの水同士が接触しないように、水を流出させ、
前記複数の流出孔部から流出した水が、前記洗濯脱水槽の内周壁に沿う円弧を形成する、
ことを特徴とする洗濯機。
【請求項２】
請求項１に記載の洗濯機において、
前記流出孔部は、
前記流水路の底面に開けられた流出孔と、
前記流出孔から出た水の方向を変える偏向体と、を含む、
ことを特徴とする洗濯機。
【請求項３】
請求項１または２に記載の洗濯機において、
前記流水路は、前記流出孔部が設けられた第１流水路と、前記第１流水路とは別に設けられた第２流水路とを含み、
前記注水口部には、前記第２流水路を流れる水を、前記流出孔部からの水が供給される供給領域よりも側方であって当該供給領域よりも前記洗濯脱水槽の内周壁に近寄った位置に向けて放出させる放出口が設けられる、
ことを特徴とする洗濯機。
【請求項４】
洗濯物を収容する洗濯脱水槽と、
前記洗濯脱水槽の上方に設けられ、水道栓に繋がる注水口部と、を備え、
前記注水口部は、
水道栓からの水が流れる流水路と、
前記流水路の前端に設けられ、流れて来た水をせき止める壁部と、
前記流水路の底面に前記壁部に沿って配列され、前記流水路を流れて来た水を前記洗濯脱水槽内に流出させる複数の流出孔部と、を含み、
前記複数の流出孔部は、当該各流出孔部からの水同士が接触しないように、水を流出させ、
前記流水路は、前記流出孔部が設けられた第１流水路と、前記第１流水路とは別に設けられた第２流水路とを含み、
前記注水口部には、前記第２流水路を流れる水を、前記流出孔部からの水が供給される供給領域よりも側方であって当該供給領域よりも前記洗濯脱水槽の内周壁に近寄った位置に向けて放出させる放出口が設けられる、
ことを特徴とする洗濯機。
【請求項５】
請求項３または４に記載の洗濯機において、
前記注水口部内に出し入れ可能に収容される洗剤容器を、さらに備え、
前記注水口部は、水道栓からの水を前記洗剤容器を介して前記第１流水路に流出させる第１通水路と、水道栓からの水を前記洗剤容器を介することなく前記第２流水路に流出させる第２通水路とをさらに含む、
ことを特徴とする洗濯機。
【発明の詳細な説明】
【技術分野】
【０００１】
本発明は、洗濯機に関する。
【背景技術】
【０００２】
従来、いわゆる脱水すすぎ工程と称されるすすぎ工程を行う洗濯機が知られている。脱水すすぎ工程では、最初に、洗濯脱水槽を低速で回転させつつ洗濯脱水槽の上方から給水を行い、洗濯脱水槽内の洗濯物に水をしみ込ませる。続いて、洗濯脱水槽を高速で回転させて洗濯物を脱水し、洗濯物にしみ込んだ水とともに洗濯物に含まれる洗剤を排出させる。なお、脱水すすぎ工程は、シャワーすすぎ工程とも称される。
【０００３】
脱水すすぎ工程が開始されるとき、洗濯物は、その前に行われた脱水工程によって洗濯脱水槽の内周壁にへばり付く状態となっている。そこで、特許文献１に記載の洗濯機では、内周壁にへばり付いた洗濯物に水が掛かりやすいように、給水管の出水口部から出た水を洗濯脱水槽の内周壁へ向かわせる出水方向変更体を設ける構成が採られている。
【０００４】
出水方向変更体は、下降するに従って洗濯脱水槽の内周壁に近づく傾斜形状を有するとともに洗濯脱水槽の内周壁とほぼ同心の円孤形状を有するため、洗濯脱水槽内に供給される水は、円弧状に若干拡がりながら洗濯脱水槽の内周壁へ向うように落下する。
【先行技術文献】
【特許文献】
【０００５】
【特許文献１】特開平０７−２２２８９３号公報
【発明の概要】
【発明が解決しようとする課題】
【０００６】
特許文献１の洗濯機の構成では、洗濯脱水槽内に供給される水は、出水方向変更体では円弧状に若干拡がるものの、その後、落下している間に表面張力の作用で次第にすぼまっていく。このため、洗濯物には広い範囲に水が行き届きにくく、洗濯物に十分に水が浸透しにくい。
【０００７】
そこで、洗濯物に十分に水を浸透させることで、シャワーすすぎ工程によるすすぎ性能を向上できる洗濯機が望まれる。
【課題を解決するための手段】
【０００８】
本発明の主たる態様に係る洗濯機は、洗濯物を収容する洗濯脱水槽と、前記洗濯脱水槽の上方に設けられ、水道栓に繋がる注水口部と、を備える。ここで、前記注水口部は、水道栓からの水が流れる流水路と、前記流水路の前端に設けられ、流れて来た水をせき止める壁部と、前記流水路の底面に前記壁部に沿って配列され、前記流水路を流れて来た水を前記洗濯脱水槽内に流出させる複数の流出孔部と、を含む。前記複数の流出孔部は、当該各流出孔部からの水同士が接触しないように、水を流出させる。
【０００９】
上記の構成によれば、注水口部から流出する水は、下降するに従ってすぼまっていくようなことがなく、洗濯脱水槽の径方向に垂直な方向に広く分散したまま洗濯脱水槽の底部まで届く。よって、シャワーすすぎ工程での給水動作で洗濯物に十分に水をしみ込ませることができ、その後の脱水動作で十分にしみ込んだ水とともに洗剤を十分に排出させることができるので、シャワーすすぎ工程によるすすぎ性能を向上させることができる。
【００１０】
本態様に係る洗濯機において、前記流出孔部は、前記流水路の底面に開けられた流出孔と、前記流出孔から出た水の方向を変える偏向体と、を含む構成とされ得る。
【００１１】
上記の構成によれば、各流出孔部から流出する水の向きを調整できる。
【００１２】
上記の構成とした場合、さらに、前記注水口部は、前記流出孔部の後方に前記洗濯脱水槽の内周壁が位置するように配置され得る。この場合、少なくとも一部の前記偏向体は、前記流出孔から出た水を後方に向かわせる。
【００１３】
このような構成とされると、洗濯脱水槽の内周壁側に寄るように給水口部から水を流出させることができるので、シャワーすすぎ工程の前の脱水工程で洗濯脱水槽の内周壁にへばり付いた洗濯物に効果的に水を掛けることができる。
【００１４】
上記の構成とした場合、前記複数の流出孔部から流出した水が、前記洗濯脱水槽の内周壁に沿う円弧を形成するように、前記各偏向体の向きが設定され得る。
【００１５】
このような構成とされると、洗濯脱水槽の内周壁にへばり付いた洗濯物に効果的に水を掛けることができる。
【００１６】
本態様に係る洗濯機において、前記複数の流出孔部から流出した水が、前記洗濯脱水槽の内周壁に沿う円弧を形成する構成とされ得る。
【００１７】
上記の構成によれば、洗濯脱水槽の内周壁にへばり付いた洗濯物に効果的に水を掛けることができる。
【００１８】
本態様に係る洗濯機において、前記流水路は、前記流出孔部が設けられた第１流水路と、前記第１流水路とは別に設けられた第２流水路とを含む構成とされ得る。この場合、前記注水口部には、前記第２流水路を流れる水を、前記流出孔部からの水が供給される供給領域よりも側方であって当該供給領域よりも前記洗濯脱水槽の内周壁に近寄った位置に向けて放出させる放出口が設けられる。
【００１９】
上記の構成によれば、流出孔部による供給領域よりも洗濯脱水槽の内周壁により近い洗濯物の部分に水が供給され、この部分にも十分に水がしみ込みやすくなるので、シャワーすすぎ工程によるすすぎ性能を一層向上させることができる。
【００２０】
上記の構成とした場合、前記注水口部内に出し入れ可能に収容される洗剤容器を、さらに備え得る。この場合、前記注水口部は、水道栓からの水を前記洗剤容器を介して前記第１流水路に流出させる第１通水路と、水道栓からの水を前記洗剤容器を介することなく前記第２流水路に流出させる第２通水路とをさらに含む構成とされる。
【００２１】
このような構成とされると、第２流水路には、洗剤容器を介することなく、第２通水路から、直接、水が供給されるので、水は勢い良く流れ込んで第２通水路を流れる。これにより、放出口から勢い良く水を放出できるので、水を遠くに飛ばして、洗濯脱水槽の内周壁に近い、狙いの位置に水を届かせることができる。
【００２２】
上記の構成とした場合、前記第１流水路の底面は前記流出孔部側に下る第１傾斜面を含むとともに、前記第２流水路の底面は前記放出口側に下る第２傾斜面を含む構成とされ得る。この場合、前記第２傾斜面の勾配が前記第１傾斜面の勾配よりも大きくされる。
【００２３】
このような構成とされると、第２流水路の底面に、第１流水路の第１傾斜面よりも勾配の大きな第２傾斜面が形成されるので、第２流水路に、より勢い良く水を流すことができ、放出口からより勢い良く水を放出できる。
【発明の効果】
【００２４】
本発明によれば、シャワーすすぎ工程によるすすぎ性能を向上できる洗濯機を提供することができる。
【００２５】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００２６】
【図１】実施の形態に係る、全自動洗濯機の構成を示す側面断面図である。
【図２】実施の形態に係る、給水ユニットの構成を示す図である。
【図３】実施の形態に係る、給水ユニットの構成を示す図である。
【図４】実施の形態に係る、給水ユニットの構成を示す図である。
【図５】実施の形態に係る、給水ユニットの構成を示す図である。
【図６】実施の形態に係る、給水ユニットの構成を示す図である。
【図７】実施の形態に係る、給水ユニットの注水口部からの水の流れ方について説明するための図である。
【図８】変更例に係る、給水ユニットの構成を示す図である。
【発明を実施するための形態】
【００２７】
以下、本発明の洗濯機の一実施形態である全自動洗濯機について、図面を参照して説明する。
【００２８】
図１は、全自動洗濯機１の構成を示す側面断面図である。
【００２９】
全自動洗濯機１は、外観を構成する筺体１０を備える。筺体１０は、上下の面が開放された方形筒状の胴体部１１と、胴体部１１の上面を覆う上面板１２と、胴体部１１を支持する脚台１３とを含む。上面板１２には、洗濯物の投入口１４が形成される。投入口１４は、開閉自在な上蓋１５により覆われる。
【００３０】
筺体１０内には、外槽２０が、図示しない４本の吊棒により弾性的に吊り下げ支持される。外槽２０内には、洗濯脱水槽２１が配される。外槽２０および洗濯脱水槽２１は、前方にやや傾く。洗濯脱水槽２１は、鉛直方向に対して前方にやや傾いた回転軸Ｒを中心として回転する。
【００３１】
洗濯脱水槽２１の内周壁には、多数の脱水孔２１ａが形成される。また、洗濯脱水槽２１の底面には、複数の通水孔２１ｂが形成される。さらに、洗濯脱水槽２１の上部には、バランスリング２２が設けられる。
【００３２】
洗濯脱水槽２１の底部には、パルセータ２３が配される。パルセータ２３の表面には、表面中央から放射状に延びる複数の羽根２３ａが形成される。また、パルセータ２３の裏面には、裏面中央から放射状に延びる複数の揚水羽根２３ｂが形成される。これら揚水羽根２３ｂは、パルセータ２３の裏面と洗濯脱水槽２１の底面との間に形成されるポンプ室２４に配される。
【００３３】
洗濯脱水槽２１の内周面に沿って上下方向に延びる還流水路２５が、水路形成部材２６と洗濯脱水槽２１の内周壁とによって形成される。還流水路２５の下端部は、ポンプ室２４に繋がる。還流水路２５、即ち、還流水路２５を構成する水路形成部材２６に、フィルタユニット２７が取り外し可能に装着される。フィルタユニット２７は、洗濯の際に洗濯物から出る糸屑や埃を捕集する。
【００３４】
外槽２０の外底部には、洗濯脱水槽２１およびパルセータ２３を駆動するトルクを発生させる駆動ユニット３０が配される。駆動ユニット３０は、駆動モータ３１と、伝達機構部３２とを含む。伝達機構部３２は、クラッチ機構を有し、当該クラッチ機構による切替操作により、洗い工程およびすすぎ工程では、駆動モータ３１のトルクをパルセータ２３のみに伝達してパルセータ２３のみを回転させ、脱水工程では、駆動モータ３１のトルクをパルセータ２３および洗濯脱水槽２１に伝達してパルセータ２３および洗濯脱水槽２１を一体的に回転させる。また、伝達機構部３２は、減速機構を有する。洗い工程およびすすぎ工程では、駆動モータ３１の回転数が減速機構の減速比に従って低くされた回転数でパルセータ２３が回転する。
【００３５】
外槽２０の外底部には、排水口部２０ａが形成される。排水口部２０ａには、排水バルブ４０が設けられる。排水バルブ４０は、排水ホース４１に接続される。排水バルブ４０が開放されると、洗濯脱水槽２１および外槽２０に溜められた水が排水ホース４１を通じて機外へ排出される。
【００３６】
上面板１２の後部には、水道水を洗濯脱水槽２１内に供給するための給水ユニット５０が配される。給水ユニット５０には給水バルブ５１が接続され、給水バルブ５１が水道栓に接続される。給水ユニット５０には、洗濯運転が行われる際に洗剤が投入される。給水バルブ５１が開放されると、給水ユニット５０内に水道水が導入される。導入された水道水は、給水ユニット５０内で洗剤と混合された後に給水ユニット５０から流出し、洗濯脱水槽２１内に供給される。後述するように、給水ユニット５０からはシャワー状に水が放出される。給水ユニット５０の詳細な構成については追って説明する。
【００３７】
全自動洗濯機１は、各種運転コースの洗濯運転を行う。洗濯運転は、洗い工程、中間脱水工程、すすぎ工程および最終脱水工程を含む。
【００３８】
洗い工程およびすすぎ工程では、洗濯脱水槽２１内に水が溜められた状態で、パルセータ２３が右方向および左方向に回転する。パルセータ２３の回転により洗濯脱水槽２１内に水流が発生する。洗い工程では、発生した水流と水に含まれる洗剤とにより洗濯物が洗われる。すすぎ工程では、発生した水流により洗濯物がすすがれる。
【００３９】
すすぎ工程では、上述のような、洗濯脱水槽２１内に水を溜めて行うためすすぎ工程の他、シャワーすすぎ工程が行われる。シャワーすすぎ工程では、最初に、洗濯脱水槽２１を低速で回転させつつ洗濯脱水槽２１内へ給水する給水動作を行い、洗濯脱水槽２１内の洗濯物に水をしみ込ませる。続いて、洗濯脱水槽２１を高速で回転させて洗濯物を脱水する脱水動作を行い、洗濯物にしみ込んだ水とともに洗濯物に含まれる洗剤を排出させる。
【００４０】
中間脱水工程および最終脱水工程では、洗濯脱水槽２１およびパルセータ２３が一体となって高速回転する。洗濯脱水槽２１に発生する遠心力の作用により、洗濯物が脱水される。
【００４１】
本実施の形態の全自動洗濯機１は、給水ユニット５０の構成を特徴としており、以下、給水ユニット５０の構成について詳細に説明する。
【００４２】
図２ないし図６は、給水ユニット５０の構成を示す図である。図２（ａ）および（ｂ）は、それぞれ、給水ユニット５０の正面図および平面図である。図３（ａ）および（ｂ）は、それぞれ、給水ユニット５０の右側面図および左側面図である。図４（ａ）および（ｂ）は、それぞれ、図２（ａ）のＡ−Ａ´断面図およびＢ−Ｂ´断面図である。図５（ａ）は、洗剤容器１００の平面図であり、図５（ｂ）は、カバー２０３が省略された注水口部２００の平面図である。図６（ａ）は、カバー２０３および上ケース２０２が省略された注水口部２００の平面図であり、図６（ｂ）は、注水口部２００の底面図である。
【００４３】
なお、説明の便宜上、図４（ｂ）には、注水口部２００の右側面に形成された右放出口２２０が一点鎖線により示され、図５（ｂ）には、取込口部２０４が一点鎖線により示される。また、図６（ａ）には、注水口部２００と洗濯脱水槽２１との位置関係を表すため、洗濯脱水槽２１の外形の一部が描かれる。
【００４４】
給水ユニット５０は、洗剤が収容される洗剤容器１００と、洗剤容器１００が前方から出し入れ可能に収容される注水口部２００とにより構成される。
【００４５】
洗剤容器１００は、上面および後面が開放する方形状の箱であり、前面１０１に取っ手１０２が形成される。また、洗剤容器１００の底面１０３は、後方へ下る傾斜面に形成される。さらに、洗剤容器１００の前面１０１は、注水口部２００の前面下部を覆い隠すように、底面１０３よりも下方に延びる。
【００４６】
注水口部２００は、下ケース２０１と上ケース２０２とカバー２０３とを結合することにより構成される。
【００４７】
注水口部２００の上面には、連結口２０４ａを有する取込口部２０４が設けられる。連結口２０４ａに給水バルブ５１が連結される。これにより、注水口部２００は、給水バルブ５１を介して水道栓に繋がる。
【００４８】
注水口部２００の上部には、上ケース２０２とカバー２０３とによって、取込口部２０４に繋がる、中央通水路２０５、右通水路２０６および左通水路２０７が形成される。中央通水路２０５は、本発明の第１通水路に相当し、右通水路２０６および左通水路２０７は、本発明の第２通水路に相当する。
【００４９】
図５（ｂ）に示すように、中央通水路２０５は、取込口部２０４の真下位置から前方に延びるとともに左右に拡がり、注水口部２００の前端に至る。中央通水路２０５の底面には、前側に多数の通水孔２０８ａからなる中央通水口２０８が形成される。中央通水口２０８は、注水口部２００に収容された洗剤容器１００の前側上方に位置する。右通水路２０６は、取込口部２０４の真下位置から右方に延び、注水口部２００の右端に至る。右通水路２０６の底面には、右端部に右通水孔２０９が形成される。左通水路２０７は、取込口部２０４の真下位置から左方に延び、注水口部２００の左端に至る。左通水路２０７の底面には、左端部に左通水孔２１０が形成される。
【００５０】
注水口部２００の内部は、上側が洗剤容器１００の収容部２１１となり、下側が流水路２１２となる。注水口部２００の前面は、上部が洗剤容器１００の出入口２１３として開口し、下部が壁部２１４により閉塞される。壁部２１４は、左右方向に真っ直ぐ延びる。
【００５１】
流水路２１２は、注水口部２００の右側面寄りに形成された右仕切壁２１５と、注水口部２００の左側面寄りに形成された左仕切壁２１６とによって、中央流水路２１７と、右流水路２１８と、左流水路２１９とに区画される。中央流水路２１７は、流水路２１２のほぼ大部分を占め、幅の広い水路となる。右流水路２１８および左流水路２１９は、細長い水路となる。中央流水路２１７は、本発明の第１流水路に相当し、右流水路２１８および左流水路２１９は、本発明の第２流水路に相当する。
【００５２】
注水口部２００には、右側面の前端部に右放出口２２０が形成され、左側面の前端部に左放出口２２１が形成される。右流水路２１８は右放出口２２０に繋がり、左流水路２１９は左放出口２２１に繋がる。右仕切壁２１５および左仕切壁２１６の前端部２１５ａ、２１６ａは、それぞれ、外側に屈曲する。右仕切壁２１５および左仕切壁２１６の前端部２１５ａ、２１６ａの屈曲形状を調整することにより、右放出口２２０および左放出口２２１から放出される水の方向を調整することができる。右放出口２２０および左放出口２２１は、本発明の放出口に相当する。
【００５３】
右流水路２１８の後端部の上方に、上述した右通水路２０６の右通水孔２０９が位置する。また、左流水路２１９の後端部の上方に、上述した左通水路２０７の左通水孔２１０が位置する。
【００５４】
中央流水路２１７の底面は、全面が前方に下る傾斜面２１７ａに形成される。また、右流水路２１８および左流水路２１９の底面も、全面が前方に下る傾斜面２１８ａ、２１９ａに形成される。右流水路２１８および左流水路２１９の傾斜面２１８ａ、２１９ａの勾配は、中央流水路２１７の傾斜面２１７ａの勾配よりも大きくされる。さらに、右流水路２１８および左流水路２１９の傾斜面２１８ａ、２１９ａは、前部の勾配がそれより後ろの勾配よりも大きくされる。中央流水路２１７の傾斜面２１７ａは、本発明の第１傾斜面に相当し、右流水路２１８の傾斜面２１８ａおよび左流水路２１９の傾斜面２１９ａは、本発明の第２傾斜面に相当する。注水口部２００の底面と後面との間のコーナ部は曲面形状を有しており、右仕切壁２１５および左仕切壁２１６はコーナ部を通って後面の上部まで延びる。
【００５５】
中央流水路２１７の底面には、右端から左端に亘って、壁部２１４に近接し且つ沿うように、複数個、ここでは７つの流出孔部２２２が配列される。流出孔部２２２は、中央流水路２１７の底面に形成された円形の流出孔２２３と、流出孔２２３の出口に設けられた偏向体２２４を含む。偏向体２２４は、流出孔２２３から出た水の流れを変える。
【００５６】
偏向体２２４は、円弧状の側壁部２２４ａと、半円盤に少し満たない形状の底壁部２２４ｂにより構成される。中央の流出孔部２２２の偏向体２２４は、真後ろを向くように設けられる。また、右端の流出孔部２２２の偏向体２２４は、右の真横を向くように設けられ、左端の流出孔部２２２の偏向体２２４は、左の真横を向くように設けられる。さらに、中央の流出孔部２２２の右隣に位置する流出孔部２２２の偏向体２２４は、真後ろより少し右を向くように設けられ、その右隣に位置する流出孔部２２２の偏向体２２４は、右の真横よりも少し後ろを向くように設けられる。さらに、中央の流出孔部２２２の左隣に位置する流出孔部２２２の偏向体２２４は、真後ろより少し左を向くように設けられ、その左隣に位置する流出孔部２２２の偏向体２２４は、左の真横よりも少し後ろを向くように設けられる。
【００５７】
なお、図６（ａ）に示すように、給水ユニット５０、即ち、注水口部２００が上面板１２の後部に配置された状態において、配列された複数個の流出孔部２２２の後方に洗濯脱水槽２１の内周壁が位置する。また、中央の流出孔部２２２が、洗濯脱水槽２１の左右方向における中心Ｐに位置する。
【００５８】
次に、給水ユニット５０による給水動作について説明する。
【００５９】
給水バルブ５１が開放すると、水道栓から給水ユニット５０に水が導入される。水道栓からの水は、取込口部２０４から中央通水路２０５、右通水路２０６および左通水路２０７へと流れ、中央通水口２０８、右通水孔２０９および左通水孔２１０へと至る。
【００６０】
図４（ａ）の矢印で示すように、中央通水口２０８に至った水は、中央通水口２０８から洗剤容器１００内へと流れ込み、傾斜する洗剤容器１００の底面を後方へと流れ、開放する洗剤容器１００の後面から中央流水路２１７の後部に流れ出す。中央流水路２１７に流れ出た水は、中央流水路２１７の傾斜面２１７ａにより前方へと導かれて壁部２１４にせき止められ、壁部２１４の手前に設けられた複数個の流出孔部２２２から流れ出す。この際、流出孔部２２２では、矢印Ｓ１のように流出孔２２３から出て真下よりやや前に向う水と、矢印Ｓ２のように流出孔２２３から出た後に偏向体２２４によって方向が変えられた水とが混ざり合う。最終的に流出孔部２２２から流出した水は、矢印Ｓ３のように、２つの方向が合成された方向に向かう。最終的に各流出孔部２２２から流出する水の方向（矢印Ｓ３）は、偏向体２２４の向きによって決められる。ここで、「偏向体２２４の向き」とは、底壁部２２４ｂの端面に垂直な方向であって、端面から偏向体２２４の外へ向かう方向を意味する。
【００６１】
さらに、偏向体２２４が流出孔２２３を塞ぐ塞ぎ量によっても、言い換えれば、流出孔２２３の開口量によっても、各流出孔部２２２から流出する水の方向（矢印Ｓ３）が決められる。即ち、塞ぎ量が多い場合は、偏向体２２４を経由する水の量が多くなるので、矢印Ｓ２のベクトル成分が大きくなり、流出する水は、より水平方向に向かいやすくなり、反対に、塞ぎ量が少ない場合は、流出孔２２３から直接流出する水の量が多くなるので、矢印Ｓ１のベクトル成分が大きくなり、流出する水は、より鉛直方向に向かいやすくなる。
【００６２】
一方、図４（ｂ）の矢印で示すように、右通水孔２０９に至った水は、右通水孔２０９から右流水路２１８の後部へと流れ込み、右流水路２１８のコーナ部の局面形状と傾斜面２１８ａによって勢いが付けられつつ前方へと流れ、右放出口２２０から放出される。同様に、左通水孔２１０から左流水路２１９に流れ込んだ水は、左放出口２２１から放出される。
【００６３】
図７は、給水ユニット５０の注水口部２００からの水の流れ方について説明するための図である。なお、図７（ｂ）では、注水口部２００の外形と流出孔部２２２の外形が一点鎖線により示される。
【００６４】
各流出孔部２２２では、上述の通り偏向体２２４の向きが設定されている。これにより、中央流水路２１７を流れる水は、各流出孔部２２２から、図７（ａ）の矢印に示す方向に流出する。即ち、中央の流出孔部２２２からは、真下よりもやや真後ろに向かって水が流出する。また、中央から右に１つ目の流出孔部２２２からは、真下よりもやや右斜め後ろに向かって水が流出し、中央から右に２つ目の流出孔部２２２からは、真下よりもやや右横に向かって水が流出し、右端の流出孔部２２２からは、真下よりもやや右斜め前に向かって水が流出する。さらに、中央から左に１つ目の流出孔部２２２からは、真下よりもやや左斜め後ろに向かって水が流出し、中央から左に２つ目の流出孔部２２２からは、真下よりもやや左横に向かって水が流出し、左端の流出孔部２２２からは、真下よりもやや左斜め前に向かって水が流出する。各流出孔部２２２から流出した水は、互いに交わることがないため、下方に向うに従ってすぼまっていくようなことがなく、図７（ｂ）に示すように、洗濯脱水槽２１の径方向に垂直な方向、即ち左右方向に広く分散したまま洗濯脱水槽２１の底部まで届く。また、図７（ｂ）に示すように、各流出孔部２２２から流出した水は、洗濯脱水槽２１の内周壁に沿うような円弧状の供給領域Ｄを形成する。中央の流出孔部２２２とその両側の流出孔部２２２では水が後方へ流出するため、供給領域Ｄは、複数の流出孔部２２２の配列位置よりも後方に、即ち、洗濯脱水槽２１の内周壁寄りに形成される。
【００６５】
図７（ａ）に示すように、右流水路２１８および左流水路２１９を流れる水は、右放出口２２０および左放出口２２１から斜め前方へ向けて放出される。放出された水は、図７（ｂ）に示すように、流出孔部２２２による水の供給領域Ｄより側方であって、当該供給領域Ｄよりも洗濯脱水槽２１の内周壁に近寄った位置に届く。
【００６６】
本実施の形態では、運転コースに応じて、２回行われるすすぎ工程のうち、最初のすすぎ工程がシャワーすすぎ工程とされる。あるいは、２回のすすぎ工程の双方がシャワーすすぎ工程とされる。
【００６７】
シャワーすすぎ工程では、最初の給水動作において、給水ユニット５０から給水されるとともに洗濯脱水槽２１が低速で回転する。洗濯脱水槽２１の回転に伴い、洗濯物が、順次、給水ユニット５０の下方を通過する。上述のように、給水ユニット５０の流出孔部２２２からは、洗濯脱水槽２１の内周壁に沿って広範囲に水が供給されるので、洗濯物が給水ユニット５０の下方を通過する際、洗濯脱水槽２１内の位置に関わらず、洗濯物に、均一に水を掛けることができる。さらに、右放出口２２０および左放出口２２１からは、供給領域Ｄよりも洗濯脱水槽２１の内周壁により近い洗濯物の部分に水が供給されるので、この部分も十分に水を掛けることができる。
【００６８】
その後、洗濯脱水槽２１を高速で回転させる脱水動作が行われると、洗濯物に十分にしみ込んだ水とともに洗剤が十分に排出される。
【００６９】
＜実施の形態の効果＞
以上のように、本実施の形態によれば、給水ユニット５０の注水口部２００に、前端部の壁部２１４に沿って配列された複数の流出孔部２２２が設けられ、これら流出孔部２２２が、各流出孔部２２２からの水同士が接触しないように、水を流出させる構成とされる。これにより、注水口部２００から流出する水は、下降するに従ってすぼまっていくようなことがなく、洗濯脱水槽２１の径方向に垂直な方向に広く分散したまま洗濯脱水槽２１の底部まで届く。よって、シャワーすすぎ工程での給水動作で洗濯物に十分に水をしみ込ませることができ、その後の脱水動作で十分にしみ込んだ水とともに洗剤を十分に排出させることができるので、シャワーすすぎ工程によるすすぎ性能を向上させることができる。
【００７０】
また、給水ユニット５０からの水が洗濯物に幅広く行き渡るため、シャワーすすぎ工程の際に、給水ユニット５０から水とともに柔軟剤を投入した場合に、柔軟剤を洗濯物に万遍なく行き渡らせることができる。これにより、柔軟剤を投入するすすぎ工程をシャワーすすぎ工程とすることができ、全自動洗濯機１の節水効果を高めることができる。
【００７１】
さらに、本実施の形態によれば、各流出孔部２２２に偏向体２２４が設けられるので、各流出孔部２２２から流出する水の向きを調整できる。特に、各偏向体２２４の向きと各偏向体２２４による各流出孔２２３の塞ぎ量を調整することにより、各流出孔部２２２から流出した水が、洗濯脱水槽２１の内周壁に沿うような円弧状の供給領域Ｄを形成するようにしたので、シャワーすすぎ工程の前の脱水工程で洗濯脱水槽２１の内周壁にへばり付いた洗濯物に効果的に水を掛けることができる。また、中央とその両側の偏向体２２４は、水を後方に向かわせる向きに設定し、供給領域Ｄが、複数の流出孔部２２２の配列位置よりも洗濯脱水槽２１の内周壁寄りに形成されるようにしたので、洗濯脱水槽２１の内周壁にへばり付いた洗濯物に、より効果的に水を掛けることができる。本実施の形態では、洗濯脱水槽２１が前方に傾いており、図１に示すように、全自動洗濯機１の後部では、洗濯脱水槽２１の内周壁の下部がより後方に位置することになる。よって、洗濯脱水槽２１が前方に傾いた全自動洗濯機１において、供給領域Ｄが後方に形成される構成は、供給領域Ｄを洗濯脱水槽２１の内周壁に近づけるためにより重要となるため、シャワーすすぎによるすすぎ性の向上のためにより有益となる。
【００７２】
さらに、本実施の形態によれば、注水口部２００の左右両側に右流水路２１８および左流水路２１９を設け、これら流水路２１８、２１９を流れる水を右放出口２２０および左放出口２２１から放出させ、放出された水を、流出孔部２２２による水の供給領域Ｄより側方であって、当該供給領域Ｄよりも洗濯脱水槽２１の内周壁に近寄った位置に掛けるようにした。これにより、供給領域Ｄよりも洗濯脱水槽２１の内周壁により近い洗濯物の部分に水が供給され、この部分にも十分に水がしみ込みやすくなるので、シャワーすすぎ工程によるすすぎ性能を一層向上させることができる。
【００７３】
さらに、本実施の形態によれば、右流水路２１８および左流水路２１９には、洗剤容器１００を介することなく、右通水路２０６および左通水路２０７から、直接、水が供給されるので、水は勢い良く流れ込んで右流水路２１８および左流水路２１９を流れる。これにより、右放出口２２０および左放出口２２１から勢い良く水を放出できるので、水を遠くに飛ばして、洗濯脱水槽２１の内周壁に近い、狙いの位置に水を届かせることができる。
【００７４】
さらに、本実施の形態によれば、右流水路２１８および左流水路２１９の底面に、中央流水路２１７の底面に形成された傾斜面２１７ａよりも勾配の大きな傾斜面２１８ａ、２１９ａが形成される。これにより、右流水路２１８および左流水路２１９をより勢い良く水が流れるので、右放出口２２０および左放出口２２１からより勢い良く水を放出できる。
【００７５】
以上、本発明の実施の形態について説明したが、本発明は、上記実施の形態によって何ら制限されるものではなく、また、本発明の実施の形態も、上記以外に種々の変更が可能である。
【００７６】
たとえば、上記実施の形態では、注水口部２００の前端に、左右方向に真っ直ぐ延びる壁部２１４が形成され、この壁部２１４に沿うように真っ直ぐに複数の流出孔部２２２が配列される。しかしながら、図８（ａ）に示すように、注水口部２００Ａの前端に、洗濯脱水槽２１の内周壁に沿うような円弧状の壁部２１４Ａが形成され、この壁部２１４Ａに沿うように円弧状に複数の流出孔部２２２Ａが配列されてもよい。この場合、各流出孔部２２２Ａの偏向体２２４Ａの向きは同じとすることができ、たとえば、全て真後ろ向きとすることができる。なお、図８（ａ）には、カバー２０３および上ケース２０２が省略された注水口部２００Ａが描かれている。
【００７７】
このような構成とした場合も、各流出孔部２２２Ａから流出した水は、互いに交わることがないため、下降するに従ってすぼまっていくようなことがなく、左右方向に広く分散したまま洗濯脱水槽２１の底部まで届く。また、各流出孔部２２２が壁部２１４Ａに沿うように円弧状に配列されているため、各流出孔部２２２から流出した水は、洗濯脱水槽２１の内周壁に沿うような円弧状の供給領域を形成する。さらに、全ての流出孔部２２２からの水が後方へ流出するため、供給領域は、複数の流出孔部２２２Ａの配列位置よりも後方に、即ち、洗濯脱水槽２１の内周壁寄りに形成される。よって、上記実施の形態と同様な効果を奏することができる。
【００７８】
さらに、上記実施の形態では、給水ユニット５０が洗剤容器１００と注水口部２００とにより構成される。しかしながら、図８（ｂ）に示すように、給水ユニット５０が、注水口部２００Ｂのみによって構成されてもよい。この場合、注水口部２００Ｂは、上ケース２０２まで延びる壁部２１４Ｂを備える。また、中央通水路２０５Ｂに形成される中央通水口２０８Ｂは、注水口部２００の中央通水路２０５に形成される中央通水口２０８より後方に設けられる。
【００７９】
さらに、上記実施の形態では、供給領域Ｄが後方に位置し過ぎると、流出した水がバランスリング２２に接触する虞あるため、中央とその両側の流出孔部２２２のみ、水が後方に向かうように偏向体２２４の向きが設定されている。しかしながら、流出した水がバランスリング２２に接触する虞等がなく、供給領域Ｄをより後方に位置させることができる場合には、全ての流出孔部２２２において、水が後方に向かうように偏向体２２４の向きが設定されてもよい。
【００８０】
さらに、上記実施の形態では、流出孔部２２２の流出孔２２３は円形に形成される。しかしながら、流出孔２２３が、他の形状、たとえば、四角形、三角形、楕円形とされてもよい。偏向体２２４の形状は、流出孔２２３の形状に応じて変更され得る。
【００８１】
さらに、上記実施の形態では、注水口部２００に右流水路２１８と左流水路２１９の双方が設けられる。しかしながら、注水口部２００には、右流水路２１８と左流水路２１９のどちらか一方が設けられてもよい。さらに、注水口部２００には、右流水路２１８と左流水路２１９の何れもが設けられなくてもよい。
【００８２】
さらに、上記実施の形態において、洗剤容器１００が、粉洗剤を収容する第１収容部と、柔軟剤を収容する第２の収容部とに区画されていてもよい。さらに、洗剤容器１００が、第１収容部と、第２収容部と、液体洗剤を収容する第３収容部に区画されていてもよい。
【００８３】
さらに、上記実施の形態では、外槽２０と洗濯脱水槽２１とが前方に傾いているが、これらが傾いていなくてもよい。
【００８４】
さらに、上記実施の形態の全自動洗濯機１は、乾燥機能を備えていないが、本発明は、乾燥機能を備えた全自動洗濯機に適用することもできる。
【００８５】
この他、本発明の実施の形態は、特許請求の範囲に示された技術的思想の範囲内において、適宜、種々の変更が可能である。
【符号の説明】
【００８６】
２１  洗濯脱水槽
５０  給水ユニット
１００  洗剤容器
２００  注水口部
２０５  中央通水路（第１通水路）
２０６  右通水路（第２通水路）
２０７  左通水路（第２通水路）
２１２  流水路
２１４  壁部
２１７  中央流水路（第１流水路）
２１７ａ  傾斜面（第１傾斜面）
２１８  右流水路（第２流水路）
２１８ａ  傾斜面（第２傾斜面）
２１９  左流水路（第２流水路）
２１９ａ  傾斜面（第２傾斜面）
２２０  右放出口（放出口）
２２１  左放出口（放出口）
２２２  流出孔部
２２３  流出孔
２２４  偏向体
【図１】
0006529292.tif 000002
【図２】
0006529292.tif 000003
【図３】
0006529292.tif 000004
【図４】
0006529292.tif 000005
【図５】
0006529292.tif 000006
【図６】
0006529292.tif 000007
【図７】
0006529292.tif 000008
【図８】
0006529292.tif 000009